(57)【要約】【課題】直貼り型ＭＲＴフィルムフィルタ及びこれを備えたプラズマディスプレイ装置を提供する。【解決手段】直貼り型ＭＲＴフィルムフィルタは、ベースフィルムと、ベースフィルムの上面に配置されるアンチグレア層と、アンチグレア層に含まれるか、またはアンチグレア層の一面に塗布されてスクラッチを防止するハードコーティング材と、ベースフィルムの一面に備えられて電磁波を遮断する導電層と、ベースフィルムの下面に備えられて平板表示装置に付着されるＭＲＴフィルムと、ベースフィルムの下面に配置され、ＭＲＴフィルムを固定する付着部と、を備える。【選択図】図１
2006350324.tif 000002
【特許請求の範囲】
【請求項１】
ベースフィルムと、
前記ベースフィルムの上面側に配置されるアンチグレア層と、
前記ベースフィルムの片面側に備えられて電磁波を遮断する導電層と、
前記ベースフィルムの下面側に備えられて平板表示装置に付着されるＭＲＴフィルムと、
前記ベースフィルム及び前記ＭＲＴフィルムを固定する付着部と、を備える直貼り型ＭＲＴフィルムフィルタ。
【請求項２】
前記ベースフィルムは、透明である請求項１に記載の直貼り型ＭＲＴフィルムフィルタ。
【請求項３】
前記アンチグレア層は、ハードコーティング材を含む請求項１に記載の直貼り型ＭＲＴフィルムフィルタ。
【請求項４】
前記アンチグレア層の上面には、ハードコーティング材が積層された請求項１に記載の直貼り型ＭＲＴフィルムフィルタ。
【請求項５】
前記アンチグレア層は、前記ハードコーティング材を含み、厚さが２〜７ｕｍであり、鉛筆硬度が２〜３Ｈであり、ヘイズが３〜１１％である請求項３に記載の直貼り型ＭＲＴフィルムフィルタ。
【請求項６】
前記導電層は、ＩＴＯ、Ａｇ、Ａｕ、Ｃｕ、Ａｌのうち少なくとも一つを含む請求項１に記載の直貼り型ＭＲＴフィルムフィルタ。
【請求項７】
前記付着部には、色補正またはネオン光を遮断するように顔料または染料が添加される請求項１に記載の直貼り型ＭＲＴフィルムフィルタ。
【請求項８】
前記ＭＲＴフィルムの下面には、平板表示装置との固定のために形成された支持部がさらに備えられる請求項１に記載の直貼り型ＭＲＴフィルムフィルタ。
【請求項９】
前記ＭＲＴフィルムの上面には、明室コントラストの向上のためのブラックコーティング部がさらに備えられ、
前記ＭＲＴフィルム下面には、可視光を収束するレンズ部がさらに備えられる請求項１に記載の直貼り型ＭＲＴフィルムフィルタ。
【請求項１０】
前記レンズ部は、前記ＭＲＴフィルムの反対方向に突出した請求項９に記載の直貼り型ＭＲＴフィルムフィルタ。
【請求項１１】
前記レンズ部は、エンボス状である請求項１０に記載の直貼り型ＭＲＴフィルムフィルタ。
【請求項１２】
前記レンズ部は、ストライプ状である請求項１０に記載の直貼り型ＭＲＴフィルムフィルタ。
【請求項１３】
前記ＭＲＴフィルムの下面には、平板表示装置との固定のために形成された支持部がさらに備えられ、
前記レンズ部の屈折率は、前記支持部の屈折率とは異なる請求項９に記載の直貼り型ＭＲＴフィルムフィルタ。
【請求項１４】
複数の電極と、
前記複数の電極の間に発生した放電による可視光線が通過するときに画像を表示する前面基板を備えるプラズマディスプレイパネルと、
前記前面基板の上面に付着された直貼り型ＭＲＴフィルムフィルタと、を備え、
前記直貼り型ＭＲＴフィルムフィルタは、
ベースフィルムと、
前記ベースフィルムの上面側に配置されるアンチグレア層と、
前記ベースフィルムの片面側に備えられて電磁波を遮断する導電層と、
前記ベースフィルムの下面側に備えられて平板表示装置に付着されるＭＲＴフィルムと、
前記ベースフィルムの下面側に配置されて、前記ＭＲＴフィルムを固定する付着部と、を備えるプラズマディスプレイ装置。
【請求項１５】
前記アンチグレア層は、ハードコーティング材を含み、
前記アンチグレア層は、厚さが２〜７ｕｍであり、鉛筆硬度が２〜３Ｈであり、ヘイズが３〜１１％である請求項１４に記載のプラズマディスプレイ装置。
【請求項１６】
前記アンチグレア層の上面には、ハードコーティング材が積層された請求項１４に記載のプラズマディスプレイ装置。
【請求項１７】
前記導電層は、ＩＴＯ、Ａｇ、Ａｕ、Ｃｕ、Ａｌのうち少なくとも一つを含む請求項１４に記載のプラズマディスプレイ装置。
【請求項１８】
前記付着部には、色補正またはネオン光を遮断するように顔料または染料が添加される請求項１４に記載のプラズマディスプレイ装置。
【請求項１９】
前記ＭＲＴフィルムの上面には、明室コントラストの向上のためのブラックコーティング部がさらに備えられ、
前記ＭＲＴフィルム下面には、可視光を収束するレンズ部がさらに備えられる請求項１４に記載のプラズマディスプレイ装置。
【請求項２０】
前記レンズ部は、前記ＭＲＴフィルムの反対方向に突出した請求項１９に記載のプラズマディスプレイ装置。
【請求項２１】
前記ＭＲＴフィルムフィルタは、前記ＭＲＴフィルムの下面に平板表示装置との固定のために形成された支持部をさらに備え、
前記レンズ部は、その屈折率が前記支持部の屈折率とは異なる請求項１４に記載のプラズマディスプレイ装置。
【発明の詳細な説明】
【技術分野】
【０００１】
本発明は、直貼り型ＭＲＴフィルムフィルタ及びこれを備えたプラズマディスプレイ装置に関し、より詳細には、平面ディスプレイ装置の前面基板に付着されて近赤外線及び電磁波を遮蔽する直貼り型ＭＲＴフィルムフィルタ及びこれを備えたプラズマディスプレイ装置に関する。
【背景技術】
【０００２】
プラズマディスプレイ装置は、その駆動特性上、強い近赤外線光を放出するが、このような近赤外線光は、無線電話機やリモコンなどの作動に影響を及ぼして誤動作を誘発する。
【０００３】
また、プラズマディスプレイ装置は、人体や他の電子機器に影響を及ぼす虞がある強い電磁波を発生させる虞がある。
【０００４】
したがって、プラズマディスプレイ装置には、このような近赤外線及び電磁波を遮蔽する前面フィルタが備えられる。この前面フィルタは、プラズマディスプレイパネル（ＰＤＰ）の前面に装着されるために、近赤外線及び電磁波を遮蔽すると同時に透明性も満足する必要がある。
一方、これらの特性を両方とも備えたものとして開発された従来のＰＤＰ用の前面フィルタは、金属メッシュ型と透明導電膜型とに区分される。メッシュ型の前面フィルタは、電磁波の遮蔽には優れているが、相対的に透明性を低下させたり画面の歪みを発生させたりするほか、メッシュ自体が高価であるために、全般的な製品のコストが上昇するという問題点がある。
【０００５】
したがって、一般的に、表面処理した透明導電膜型が前面フィルタとして使用されている。ここで、ディスプレイ用のフィルムの表面処理技術とは、外光反射によるまぶしさ及び解像度の低下を最小化し、静電気によるショックを防止するために、パネルの前面を多様な方法で処理する技術をいう。
【０００６】
既存のプラズマディスプレイ装置では、通常ガラスからなる前面基板と強化ガラスフィルタとの間で、材質の差による屈折現象が発生し、これによって、映像が二重に表示されるという問題がある。
【０００７】
また、強化ガラスフィルタは、外部衝撃に耐えるために一定の厚さを有するので、重量が増加してコストが上昇するという不利な点がある。さらに、既存の強化ガラスフィルタの構造は、多様な機能を有する複合的なフィルムからなる非常に複雑な構造であるため、製造工程が煩雑になり、コストが上昇するという問題がある。
【発明の開示】
【発明が解決しようとする課題】
【０００８】
本発明は、厚さの小さいフィルムに、強化ガラスフィルタとしてのあらゆる機能を備えた構造のＰＤＰ用の直貼り型ＭＲＴフィルムフィルタ、及びこれを備えたプラズマディスプレイ装置を提供することを目的とする。
【０００９】
また、本発明の他の目的は、既存フィルタの界面特性を向上させて二重映像現象を改善し、乱反射効果によって防眩性を高めて鏡面反射を減らすことにより、明室コントラストを向上させた直貼り型ＭＲＴフィルムフィルタ、及びこれを備えるプラズマディスプレイ装置を提供することである。
【課題を解決するための手段】
【００１０】
本発明の望ましい実施形態による直貼り型ＭＲＴフィルムフィルタは、ベースフィルムと、前記ベースフィルムの上面に配置されるアンチグレア層と、前記アンチグレア層に含まれるか、または前記アンチグレア層の一面に塗布されてスクラッチを防止するハードコーティング材と、前記ベースフィルムの一面に備えられて電磁波を遮断する導電層と、前記ベースフィルムの下面に備えられて平板表示装置に付着されるＭＲＴフィルムと、前記ベースフィルムの下面に配置され、前記ＭＲＴフィルムを固定する付着部と、を備える。
【００１１】
前記ベースフィルムは透明なものが望ましい。
【００１２】
また、前記アンチグレア層は、前記ハードコーティング材を含み、その厚さが２〜７ｕｍであり、鉛筆硬度が２〜３Ｈであり、ヘイズが３〜１１％であることが望ましい。
【００１３】
また、前記導電層は、ＩＴＯ、Ａｇ、Ａｕ、Ｃｕ、Ａｌのうちの少なくとも一つでありうる。
【００１４】
一方、前記付着部には、色補正またはネオン光を遮断するように顔料または染料が添加されることが望ましい。
【００１５】
また、前記ＭＲＴフィルムは、その上面に明室コントラストの向上のためのブラックコーティング部を備え、その下面に可視光を収束するレンズ部をさらに備えることが望ましい。
【００１６】
一方、本発明の他の実施形態によるプラズマディスプレイ装置は、前述した直貼り型ＭＲＴフィルムフィルタを備える。
【発明の効果】
【００１７】
本発明によれば、厚さの小さいフィルムに複雑な構造を有する強化ガラスフィルタのあらゆる機能を持たせることにより、既存のフィルタに比べて軽量化及び低コストでの製造が可能となる。
【００１８】
また、直貼りフィルムフィルタを適用することによって、既存のフィルタの界面特性が向上して、これにより二重映像現象が改善し、乱反射効果によって防眩性が高められて鏡面反射が低減し、明室コントラストが向上する。
【発明を実施するための最良の形態】
【００１９】
以下、添付した図面に基づき、本発明を詳細に説明する。
【００２０】
図１は、本発明の一実施形態による直貼り型ＭＲＴフィルムフィルタを示す図面であって、多積層からなる直貼り型ＭＲＴフィルムフィルタが明確に見えるようにいくつかの層を展開させて示しており、図２は、図１のＶ−Ｖ線による直貼り型ＭＲＴフィルムフィルタの断面図である。
【００２１】
図１及び図２を参照すれば、本発明による直貼り型ＭＲＴフィルムフィルタ１０は、ベースフィルム３、アンチグレア層１、スクラッチを防止するハードコーティング材２、導電層５、ＭＲＴ（Ｍｉｃｒｏ  Ｒｅｐｌｉｃａｔｉｏｎ  Ｔｅｃｈｎｏｌｏｇｙ）フィルム８、及びベースフィルム３をＭＲＴフィルム８に固定する付着部６を備える。さらに、ＭＲＴフィルム８を平板表示装置に固定する支持部９を備える。
【００２２】
ここで、平板表示装置は、可視光を放出してユーザーに映像を表示できる媒体を言うが、特に、可視光を放出する前面が扁平なものを言う。このような平板表示装置の例として、両電極の間に強い電圧を印加することで電極の間にガス放電を生じさせ、この時に発生する紫外線が蛍光体にぶつかって光を発光する現象を利用したＰＤＰ（プラズマディスプレイパネル）、平面に形成されたカソード（電子放出源）から放出された電子が蛍光体にぶつかって発光する現象を利用したＦＥＤ（電界発光ディスプレイ）、フィラメントに電圧を印加して熱電子を発生させ、グリッドで加速されてアノードに到達した電子が既にパターニングされた蛍光体にぶつかって発光することによって映像を表示するＶＦＤ（真空蛍光ディスプレイ）、蛍光または燐光有機物薄膜に電流を流したときに電子と正孔とが有機物層で結合しながら光が発生する現象を利用した自発光型のＯＬＥＤ、液体と固体の中間状態である液晶の電気的性質を表示装置に応用したディスプレイであって、液晶がシャッタの役割を果たして電圧のＯｎ／Ｏｆｆを切り換えることによって可視光を透過または遮断する原理を利用して情報を表示するＬＣＤなどがある。しかし、本発明は、前記例に限定されるものではない。
【００２３】
ベースフィルム３は、直貼りフィルムフィルタの基材として使われるが、ポリエーテルスルホン（ＰＥＳ）、ポリアクリレート（ＰＡＲ）、ポリエーテルイミド（ＰＥＩ）、ポリエチレンナフタレート（ＰＥＮ）、ポリエチレンテレフタレート（ＰＥＴ）、ポリフェニレンスルフィド（ＰＰＳ）、ポリアリレート、ポリイミド、ポリカーボネート（ＰＣ）、セルローストリアセテート（ＴＡＣ）、セルロースアセテートプロピオネート（ＣＡＰ）からなる群より選択される。望ましくは、ポリカーボネート（ＰＣ）、ポリエチレンテレフタレート（ＰＥＴ）、セルローストリアセテート（ＴＡＣ）、ポリエチレンナフタレート（ＰＥＮ）でありうる。
【００２４】
また、ベースフィルム３は、透明でありうるが、これは完全に透明であるという意味ではなく、当業界で一般に透明であるといわれる程度の透過率を有することを意味する。
【００２５】
一方、ベースフィルム３の下面には導電層５が配置される。前記導電層５は、プラズマディスプレイ装置で発生する人体に有害な電磁波及び近赤外線の遮蔽のために使われる。特に、近赤外線によって発生する周辺電子機器の誤作動を防止するために近赤外線を遮蔽する機能を果たす。
【００２６】
図面では導電層５が単一の層として示されているが、本発明の実施形態では導電層が単一層に形成された場合だけでなく、少なくとも２回以上反復して多層に積層させた構造でもありうる。導電層５が多層に積層されることにより、その表面抵抗値が補正され、可視光線の透過率を制御しうる。
【００２７】
前記導電層５には、金属層、金属酸化物、導電性ポリマーなどを採用できる。金属層には、パラジウム、銅、白金、ロジウム、アルミニウム、鉄、コバルト、ニッケル、亜鉛、ルテニウム、スズ、タングステン、インジウム、鉛、銀（Ａｇ）などを単独で、または複合的に採用できる。
【００２８】
金属酸化物は、酸化スズ、酸化インジウム、酸化アンチモン、酸化亜鉛、酸化ジルコニウム、酸化チタン、酸化マグネシウム、酸化ケイ素、酸化アルミニウム、金属アルコキシド、インジウムスズ酸化物（ＩＴＯ）、ＡＴＯのうち少なくとも一つを含みうる。また、金属と金属酸化物とを組み合わせて利用することもあるが、特に、金属酸化物が付加された場合は、金属層の酸化や劣化を防止できる。
【００２９】
なお、導電層５は、ＩＴＯもしくはＡｇが単独でなるか、またはＩＴＯ及びＡｇが交互に少なくとも２回以上積層された構造を有しうる。
【００３０】
導電層５は、さまざまな方法で形成できるが、スパッタリング法、真空蒸着法、イオンメッキ法、化学気相蒸着法（ＣＶＤ）、物理気相蒸着法（ＰＶＤ）、金属や金属酸化物の微粒子塗布法などが望ましい。
【００３１】
また、前述した導電層５が近赤外線を遮断するにおいて、後述する付着部６は近赤外線を吸収する化合物を付加的に備えうる。
【００３２】
例えば、付着部６は銅原子を含む樹脂、銅化合物やリン化合物を含有する樹脂、銅化合物やチオ尿素誘導体を含む樹脂、タングステン系化合物を含む樹脂からなりうる。
【００３３】
さらに、色素（染料または顔料）を利用する例として、染料としてシアン系化合物が使われうる。
【００３４】
また、導電層５は、図１に示したものとは違って、ベースフィルム３の上面に構成されたとしても、電磁波及び近赤外線の遮蔽ができる限り、本発明の思想的範囲内に属する。
【００３５】
一方、ベースフィルム３の上面にはアンチグレア層１が備えられる。アンチグレアとは、外部入射光を表面で散乱させ、フィルムの周辺環境に向けて反射することを防止することをいう。
【００３６】
前記アンチグレア層１は、図示していないがベースフィルム３の上部に微細な凹凸を持って形成されうる。このような凹凸はベースフィルム３の反対方向に突出して形成されるが、そのサイズや凹凸間のピッチは、外光の乱反射を発生することができる不規則な形状である限り、いかなるものでも使用できる。
【００３７】
最近、プラズマディスプレイの高視野角化、高速応答化及び高精細化、すなわち高画質に対する要求が非常に高い。この高精細化は、画素サイズの微細化により実現される。ところが、画素サイズが小さくなるにつれて、例えば、１３３ｐｐｉ（１３３ｐｉｘｃｅｌｓ／ｉｎｃｈ）以上の高精細になると、ユーザーの目に到達する光は輝度偏差が生じて、まぶしく見えるという不便さが生じる。これは、ベースフィルム３の表面に画像を表示する画素より大きい凹凸が存在することによって、単一の画素からの透過光がレンズ効果により集光されるか、隣接するセルからのＲＧＢ透過光が混色を起こすことによって発生する現象である。したがって、アンチグレア層１上の微細な凹凸は、画像を表示する画素より小さく形成することが望ましい。
【００３８】
アンチグレア層１の形成は、ディップコーティング法、エアナイフ法、カーテンコーティング法、ローラコーティング法、ワイヤーバーコーティング法、グラビアコーティング法などから選択できる。
【００３９】
一方、ハードコーティング材は、直貼りフィルムフィルタの最外面に装着される場合が多い。ハードコーティング材は、直貼りフィルムフィルタが特にプラズマディスプレイ装置、テレビやコンピュータ用のモニタ、及び携帯用デジタル機器に使われる場合、使用中に多様な形態の外力を受けうるので、これによるスクラッチの防止のために要求されるものである。ハードコーティング材はアンチグレア層１に含まれるか（この場合は図示されず）、または図１及び図２のように別途のハードコーティング材２として、アンチグレア層１の上部に形成されうるが、後者の場合はバインダとしてポリマーを含む。
【００４０】
また、ハードコーティング材は、アクリル系、ウレタン系、エポキシ系、シロキサン系ポリマーを利用でき、オリゴマーのような紫外線硬化樹脂も利用できる。また、硬度の向上のためにシリカ系のフィラーを添加しうる。
【００４１】
また、アンチグレア層１は、ハードコーティング材を含み、その光学的特性は、ヘイズが３〜１１％、可視光透過率が３０〜８０％であり、機械的特性は、厚さが２〜７ｕｍ、鉛筆硬度が２〜３Ｈであることを特徴とする。ハードコーティング材がアンチグレア層１に含まれる場合には、図面のハードコーティング材２は省略される。
【００４２】
なお、図面ではハードコーティング材２はアンチグレア層１の上部に形成されているが、ハードコーティング材２はアンチグレア層１の下部に形成されても良い。
【００４３】
一方、ハードコーティング材２、アンチグレア層１、導電層５を備えたベースフィルム３をＭＲＴフィルムに固定するために付着部６を備える。付着部６は、ベースフィルム３とＭＲＴフィルム８とを直接ラミネートするときの両フィルム３、８間の界面と言えるが、当業界で付着、固定のために一般的に使われるベースフィルム３と、平均的な粗度を有するＭＲＴフィルム８であれば別途の付着のための部材なしに付着されうる。
【００４４】
また、付着部６には、熱可塑性物質、ＵＶ硬化樹脂、または熱可塑性かつＵＶ硬化性の複合型樹脂が利用されうる。例えば、アクリレート系樹脂が利用されうる。また、一般的に用いられるＰＳＡ（Ｐｒｅｓｓｕｒｅ  Ｓｅｎｓｉｔｉｖｅ  Ａｄｈｅｓｉｖｅ）を使用できるのはもちろんである。
【００４５】
付着部６の形成は、スクリーン印刷法、ディップコーティング法、エアナイフ法、カーテンコーティング法、ローラコーティング法、ワイヤーバーコーティング法、グラビアコーティング法などから選択できる。
【００４６】
一方、付着部６は、色補正またはネオン光を遮断するように染料や顔料のような色素を含みうる。色素は、波長が可視光線領域である４００〜７００ｎｍの範囲内の光を選択的に吸収できるものであれば、特に限定されない。
【００４７】
特に、ネオンの励起によって生じる波長が約５８５ｎｍの不要な光を遮断する必要があるが、シアニン系、スクアリリウム系、アゾメチン系、キサンテン系、オキソノール系、アゾ系などの化合物を利用できる。
【００４８】
一方、ベースフィルム３の下面にはＭＲＴフィルム８が備えられ、ＭＲＴフィルムの上面には明室コントラスト向上のためのブラックコーティング部１２が備えられ、ＭＲＴフィルム８の下面には可視光の収束のためのレンズ部１４が備えられる。
【００４９】
また、ＭＲＴフィルム８の下面には、支持部９がさらに備えられうる。この場合、ＭＲＴフィルム８を後述する平板表示装置の前面に、別途の付着のための部材なしに付着させ固定できる。
【００５０】
ＭＲＴフィルム８は、ＰＥＳ、ＰＡＲ、ＰＥＩ、ＰＥＮ、ＰＥＴ、ＰＰＳ、ポリアクリレート、ポリイミド、ＰＣ、ＴＡＣ、ＣＡＰなどからなる群より選択される。望ましくは、ＰＣ、ＰＥＴ、ＴＡＣ、ＰＥＮでありうる。
【００５１】
一方、ＭＲＴフィルム８の下面には、後述する平板表示装置に固定するために支持部９を設ける。支持部９は、ＭＲＴフィルム８と平板表示装置とを直接ラミネートするときの境界面と言えるが、当業界で付着、固定のために一般に使われるＭＲＴフィルム８と、平均的な粗度を有する平板表示装置であれば別途の付着のための部材なしに付着できる。また、支持部９は、ＰＳＡなどの接着材が利用されうる。これにより、ＭＲＴフィルム８が平板表示装置に固定される。
【００５２】
また、支持部９として、ＰＳＡなどの接着材が両面に塗布されたフィルムを使用しても良い。ここで、フィルムは、前述した多様な種類のフィルムのうち選択されうるが、一般にＰＣ、ＰＥＴ、ＴＡＣ、ＰＥＮなどが使われうる。これによって、ＭＲＴフィルム８が平板表示装置に固定される。
【００５３】
一方、ＭＲＴフィルム８の上面には、ブラックコーティング部１２が構成される。
【００５４】
ブラックコーティング部１２は、後述するレンズ部１４で収束された可視光の明室コントラストを向上させ、外光反射を低減させる。前記ブラックコーティング部１２は、明室コントラストを向上させ外光反射を低減させる範囲内であれば多様な形状をなしうるが、特に、ストライプ状をなしうる。
【００５５】
このようなブラックコーティング部１２は、いろいろ方法によって形成できるが、一般的な塗布方式であるスクリーン印刷法、ディップコーティング法、エアナイフ法、カーテンコーティング法、ローラコーティング法、ワイヤーバーコーティング法、グラビアコーティング法などから選択できる。
【００５６】
その他に、ＣＶＤ法やＰＶＤ法、特に、物理蒸着法の一種である真空蒸着法やスパッタリング法なども選択できる。
【００５７】
このようなブラックコーティング部１２は、明室コントラストを向上させ、外光反射を低減させる範囲内あれば、何れの暗色材料も利用できる。
【００５８】
一方、ＭＲＴフィルム８の下面には、レンズ部１４が形成される。レンズ部１４は、後述する平板表示装置から放出された可視光を収束するために使われる。レンズ部１４は、ＭＲＴフィルム８の下面に備えられ、平板表示装置に向けて突出した複数の突起を備える。
【００５９】
一般に、レンズは入射された可視光が通過してきた媒質とレンズとの屈折率の差によって可視光を収束するか（凸レンズ）、可視光を分散する（凹レンズ）役割を担う。本実施形態では、可視光を収束する原理を利用している。支持部９を通過した可視光は、レンズ部１４を過ぎながら屈折率の差によって屈折される。
【００６０】
一般に、屈折率に関するスネルの法則によって、支持部９の屈折率はレンズ部１４の屈折率と等しいか、またはそれよりも大きく構成されうる。
【００６１】
また、突出した形状は、特に制限はないが、エンボス状やストライプ状が望ましい（図２及び図３）。エンボス状は、図２に示したように、ＭＲＴフィルム８の下面で平板表示装置がある方向に複数突出した形状に構成される。ここで、突出した形状は、図示したように、ラウンドされた半円や半楕円などの形状だけでなく、複数の角を有する形態でもありうる。
【００６２】
また、エンボス状の突起のサイズや突起間のピッチは、可視光を収束できる限り、特に制限されない。すなわち、図４に示したように、レンズ部１４はＭＲＴフィルム８の下面に備えられ、平板表示装置２００（図５）に向けて突出した複数の突起を備えうるが、この場合、突起の形状は、図示したように、半円や半楕円などの丸みを帯びた形状だけでなく、複数の角を有する形態でも良い。また、エンボス状の突起のサイズや突起間のピッチは、可視光を収束できる限り、特に制限されない。
【００６３】
図３は、本発明の他の実施形態による直貼り型ＭＲＴフィルムフィルタを示す断面図である。図面を参照すれば、ハードコーティング材２、アンチグレア層１、ベースフィルム３、導電層５、付着部６、ＭＲＴフィルム８、支持部９、ブラックコーティング部１２についての説明は、前述した通りであるので省略する。
【００６４】
レンズ部１４は、ＭＲＴフィルム８の下面に備えられ、平板表示装置２００（図５）に向けて突出した複数の突起を備えうる。突起は、図示したように、四角形のストライプ状をなしうるが、特にこれに限定されるものではなく、半円や半楕円などの丸みを帯びた形状や多角形など、可視光を収束できる範囲内のいかなる形状であってもよい。
【００６５】
また、ストライプ状の突起のサイズや突起間のピッチは、可視光を収束できる範囲内であれば特に制限する必要はない。
【００６６】
一方、支持部９を通過した可視光がレンズ部１４で効果的に収束されるように、支持部９とレンズ部１４は、屈折率が相異なるように構成する。すなわち、支持部９の屈折率は、レンズ部１４の屈折率に等しいか、またはそれより大きくされる。かかる構成によって、支持部９を通過してレンズ部１４に入射する可視光は、より効果的に収束される。
【００６７】
図５は、本発明の他の実施形態による直貼りフィルムフィルタを備えたプラズマディスプレイ装置を示す分解斜視図である。図５を参照すれば、本発明の望ましい実施形態によるプラズマディスプレイ装置には、直貼り型ＭＲＴフィルムフィルタ１０、前面基板５１、及び後面基板５２などが備えられるが、直貼り型ＭＲＴフィルムフィルタ１０は、前述した実施形態と実質的に同じなので、詳細な説明は省略する。ただし、ＭＲＴフィルムフィルタ１０をプラズマディスプレイ装置２００の前面に付着するにおいて、支持部９（図２）は前面基板に向かって配置される。
【００６８】
また、直貼り型ＭＲＴフィルムフィルタの可視光透過率は、３０〜８０％であることが望ましい。
【００６９】
一方、プラズマディスプレイ装置２００は、プラズマディスプレイパネル（ＰＤＰ）５０、シャーシーベース１００、及び駆動回路基板４０を備える。
【００７０】
ＰＤＰ５０は、前面基板５１と背面基板５２とが相互接合してなる。この基板５１、５２の内面には、隔壁によって区画された複数のセル空間が形成されており、このセル空間のそれぞれを形成する隔壁の側面には、赤色、緑色または青色を示す蛍光体が塗布されている。
【００７１】
また、このセル空間内には、ネオンガスのようなガスが注入されている。この基板５１、５２の内側には、気体の放電を引き起こす電圧を印加する複数の電極が形成されている。
【００７２】
このような構造を有するＰＤＰ５０は、電極に印加された電圧によるグロー放電時セル空間内のガスが発生する紫外線が、蛍光体を発光させることによって、画像を表示する。
【００７３】
ＰＤＰ５０の背面には、シャーシーベース１００が付着される。シャーシーベース１００は、パネル５０を支持するために所定の剛性を有することが望ましい。また、シャーシーベース１００は、パネル５０から発生した熱を伝達して外部に放出する役割を担うこともある。
【００７４】
したがって、シャーシーベース１００は、アルミニウムのような材質からなることが望ましい。シャーシーベース１００は、ＰＤＰ５０と両面テープのような接着部５４により接着される。
【００７５】
前記ＰＤＰ５０から発生する熱をシャーシーベース５０に円滑に伝達して放熱するために、前記ＰＤＰ５０とシャーシーベース１００との間の接着部５４が位置していない部分には、放熱シート５３が配置されている。また、前記ＰＤＰ５０とシャーシーベース１００との付着のために、その間には両面テープのような接着部５４が介在しうる。
【００７６】
前記シャーシーベース１００の背面には、ＰＤＰ５０を駆動させる所定数の駆動回路基板４０が配置されている。
【００７７】
本発明は、プラズマディスプレイ装置のほかに本発明の技術的思想の範囲内で他の平板表示装置にも適用できるのはもちろんである。
【００７８】
本発明は、前記した実施形態に限定されるものではなく、本発明の思想及び範囲内であれば、当業者により変形及び改良が可能である。
【産業上の利用可能性】
【００７９】
本発明は、プラズマディスプレイ装置関連の技術分野に好適に用いられる。
【図面の簡単な説明】
【００８０】
【図１】本発明の望ましい実施形態による直貼り型ＭＲＴフィルムフィルタの斜視図である。
【図２】図１のＶ−Ｖ線による断面図である。
【図３】本発明の他の実施形態による直貼り型ＭＲＴフィルムフィルタの断面図である。
【図４】本発明のさらに他の実施形態による直貼り型ＭＲＴフィルムフィルタの断面図である。
【図５】本発明の実施形態による直貼り型ＭＲＴフィルムフィルタを備えたプラズマディスプレイ装置の分解斜視図である。
【符号の説明】
【００８１】
１    アンチグレア層、
２    ハードコーティング材、
３    ベースフィルム、
５    導電層、
６    付着部、
８    ＭＲＴフィルム、
９    支持部、
１０    直貼り型ＭＲＴフィルムフィルタ、
１２    ブラックコーティング部、
１４    レンズ部、
４０    駆動回路基板、
５０    プラズマディスプレイパネル、
５１    前面基板、
５２    後面基板、
５３    放熱シート、
５４    接着部、
１００    シャーシーベース、
２００    プラズマディスプレイ装置。
【図１】
2006350324.tif 000003
【図２】
2006350324.tif 000004
【図３】
2006350324.tif 000005
【図４】
2006350324.tif 000006
【図５】
2006350324.tif 000007